(57)【特許請求の範囲】
【請求項１】
記録ディスクに対して情報の記録／再生を行うためのピックアップと、記録ディスクを回転駆動する駆動部材とを内設したディスク装置に設けられて、記録ディスクが載置され、該記録ディスクを前記駆動部材の所定の設置位置まで移動するディスク載置用トレイであって、
トレイ本体に設けられ、記録ディスクが取り外し可能に載置される受け皿部と、
前記受け皿部に、記録ディスクが載置される部分を円形状に形成する角部のない形状に設けられた周辺壁部と、
前記周辺壁部にディスク回転方向に角部がない形状で設けられ、前記受け皿部とにより記録ディスクを遊嵌して保持する突起部と、
前記受け皿部のディスク載置面に設けられ、ディスク載置方向から見たときに前記ディスク載置面上において前記突起部よりも大きい領域に前記受け皿部を貫通しない深さですり鉢形状の斜面を有し、前記突起部を加工形成するために用いられた凹所とを備えたことを特徴とするディスク載置用トレイ。
【請求項２】
前記周辺壁部と該周辺壁部において壁面が存在しない切れ目部との境界を形成する該周辺壁部の形状を、ディスク回転方向に角部がない形状にしたことを特徴とする請求項１記載のディスク載置用トレイ。
【請求項３】
前記トレイ本体に設けられ、前記ピックアップを移動可能にするために形成された略矩形状の開口部における矩形各辺の隅部を、円弧面にしたことを特徴とする請求項１記載のディスク載置用トレイ。
【請求項４】
記録ディスクに対して情報の記録／再生を行うためのピックアップと、記録ディスクを回転駆動する駆動部材と、記録ディスクが載置され、該記録ディスクを前記駆動部材の所定の設置位置まで移動するディスク載置用トレイとを具備するディスク装置において、
前記ディスク載置用トレイとして、請求項１〜３いずれか１項に記載のディスク載置用トレイを設置したことを特徴とするディスク装置。
【請求項５】
記録ディスクに対して情報の記録／再生を行うためのピックアップと、記録ディスクを回転駆動する駆動部材とを内設したディスク装置に設けられて、記録ディスクが載置され、該記録ディスクを前記駆動部材の所定の設置位置まで移動するディスク載置用トレイの製造方法であって、
記録ディスクが取り外し可能に載置される受け皿部と、
前記受け皿部に形成され、記録ディスクが載置される部分を円形状に形成する角部のない形状の周辺壁部と、
前記周辺壁部にディスク回転方向に角部がない形状で形成され、前記受け皿部とにより記録ディスクを遊嵌して保持する突起部と、
前記受け皿部のディスク載置面に形成され、ディスク載置方向から見たときに前記ディスク載置面上において前記突起部よりも大きい領域に前記受け皿部を貫通しない深さで、すり鉢形状の斜面を有し、前記突起部を加工形成するために用いられる凹所とが、トレイ本体に一体に形成されることを特徴とするディスク載置用トレイの製造方法。
【発明の詳細な説明】
【０００１】
【発明の属する技術分野】
本発明は、磁気ディスク，光ディスクなどの記録ディスクに対して情報の記録／再生を行うためのピックアップと、記録ディスクを回転駆動する駆動部材とを内設したディスク装置に設けられて、記録ディスクが載置され、該記録ディスクを前記駆動部材の所定の設置位置まで移動するディスク載置用トレイ、およびそのディスク載置用トレイが設置されるディスク装置、ならびにディスク載置用トレイの製造方法に関するものである。
【０００２】
【従来の技術】
従来、光ディスク装置には、装置本体内に設置された光ピックアップと、光ディスクを保持する受け皿部が形成され、かつ装置本体の前面に設けられた開口から内外へ進退可能に支持されたトレイと、受け皿に光ディスクを保持した状態のトレイが装置本体内の所定の位置まで移動されたときに、受け皿上の光ディスクを回転駆動させる光ディスク回転駆動機構などが一般的に備えられている。
【０００３】
光ディスク装置は、記録／再生の対象となる光ディスクの記憶容量が大きいこと、また単位記憶容量あたりの単価が安いことから、パソコンの主な周辺機器として開発が進められ、そのデータの読み出し速度は高速化の傾向にある。
【０００４】
一般に、データの読み出し速度を大きくする方法としてディスク回転数を速くする方法が採られ、初期の光ディスク装置の基準回転速度（２００ｒｐｍ）を１とすると、現行では、３２倍速（６４００ｒｐｍ）以上のものが一般的となっており、最近では５０倍速（１００００ｒｐｍ）を超えるものも多く存在するようになっている。
【０００５】
光ディスクの回転速度が速くなるにつれて、光ディスクの回転に伴って発生する風切り音が次第に大きくなり、光ディスク装置の騒音源の主な要因となっている。光ディスク装置の騒音は、単倍速、すなわち１０倍速（２０００ｒｐｍ）未満の回転数では、それほどユーザにとって気になるものではなかったが、１０倍速以上、特に３２倍速以上の回転数では、大きな騒音となり、その騒音の低減が要望されている。
【０００６】
従来の光ディスク装置では、この騒音を抑制する対策として光ディスク装置のトレイドア部（トレイを出入れする開口を開閉するドア）に隙間が生じないように、その密閉性を高め、装置本体内部で生じる騒音をその内に閉じ込めて、外部に漏れないようにする遮音を主とした対策が採られている。
【０００７】
例えば特開２０００−２３１７７９号公報には、トレイとトレイドアとの間に弾性部を設け、弾性部の弾性復元力によって、トレイとトレイドアとの密着状態を保持することによって、防音性および防塵性を向上するようにした光ディスク装置が記載されている。
【０００８】
【発明が解決しようとする課題】
前記従来の光ディスク装置において、風切り音の発生要因を検討すると、ディスク回転による風の発生が第１に挙げられるが、光ディスク装置の内部構造にも風切り音の発生要因があった。
【０００９】
すなわち、従来の光ディスク装置におけるトレイ部には、縦置きにしてローディング動作を行う場合にディスクを保持するための係止爪部材、あるいは装置の構造上、必ず設けられる光ピックアップ用の開口部に代表される角形状の部位がトレイ上に形成された受け皿部分に設けられており、前記各部における角形状の部位が、ディスク回転に伴って発生する風と干渉し、風切り音を増幅させる源となっていた。
【００１０】
そこで、従来のような風切り音による騒音を、装置外に漏らさない遮音対策だけでなく、騒音の発生源自体に対策を施し、発生源から発生する音そのものの量を低減させるようにしない限り、騒音を減少させる根本的な対策にならないことに考えが至った。
【００１１】
本発明の目的は、前記従来の課題を解決し、ディスク回転時に発生する風切り音の発生要因がディスク載置用トレイにおけるディスク受け皿部にあることに着目し、ディスク受け皿部部分を簡単な構成で改良することによって、風切り音を低減することができるようにしたディスク載置用トレイ、およびそのディスク載置用トレイを設置したディスク装置、ならびにディスク載置用トレイの製造方法を提供することにある。
【００１２】
【課題を解決するための手段】
前記目的を達成するため、請求項１に記載の発明は、記録ディスクに対して情報の記録／再生を行うためのピックアップと、記録ディスクを回転駆動する駆動部材とを内設したディスク装置に設けられて、記録ディスクが載置され、該記録ディスクを前記駆動部材の所定の設置位置まで移動するディスク載置用トレイであって、トレイ本体に設けられ、記録ディスクが取り外し可能に載置される受け皿部と、前記受け皿部に、記録ディスクが載置される部分を円形状に形成する角部のない形状に設けられた周辺壁部と、前記周辺壁部にディスク回転方向に角部がない形状で設けられ、前記受け皿部とにより記録ディスクを遊嵌して保持する突起部と、前記受け皿部のディスク載置面に設けられ、ディスク載置方向から見たときに前記ディスク載置面上において前記突起部よりも大きい領域に前記受け皿部を貫通しない深さですり鉢形状の斜面を有し、前記突起部を加工形成するために用いられた凹所とを備えたことを特徴とし、この構成によって、受け皿部の周辺壁面と、ディスク保持用の突起部と、突起部の加工形成時に用いられる凹所とを、空気の流れを妨げない滑らかな形状にしたことによって、ディスク回転時に発生した風が当接する部位における風切り音の増幅を効果的に抑えることができる。
【００１３】
請求項２に記載の発明は、請求項１記載のディスク載置用トレイにおいて、周辺壁部と該周辺壁部において壁面が存在しない切れ目部との境界を形成する該周辺壁部の形状を、ディスク回転方向に角部がない形状にしたことを特徴とし、この構成によって、円形状の受け皿の周辺壁面における非連続部分を、空気の流れを妨げない滑らかな形状にしたことによって、風切り音の増幅を効果的に抑えることができる。
【００１４】
請求項３に記載の発明は、請求項１記載のディスク載置用トレイにおいて、トレイ本体に設けられ、前記ピックアップを移動可能にするために形成された略矩形状の開口部における矩形各辺の隅部を、円弧面にしたことを特徴とし、ピックアップを移動可能にするための開口部を、空気の流れを妨げない滑らかな形状にしたことによって、風切り音の増幅を効果的に抑えることができる。
【００１５】
請求項４に記載の発明は、記録ディスクに対して情報の記録／再生を行うためのピックアップと、記録ディスクを回転駆動する駆動部材と、記録ディスクが載置され、該記録ディスクを前記駆動部材の所定の設置位置まで移動するディスク載置用トレイとを具備するディスク装置において、前記ディスク載置用トレイとして、請求項１〜３いずれか１項に記載のディスク載置用トレイを設置したことを特徴とし、この構成において、ディスク載置用トレイにおける記録ディスクが搭載される受け皿部側の主体を空気の流れを妨げない滑らかな形状にしたことによって、ディスク回転時に発生した風が当接する部位における風切り音の増幅を効果的に抑えることができる。
【００１６】
請求項５に記載の発明は、記録ディスクに対して情報の記録／再生を行うためのピックアップと、記録ディスクを回転駆動する駆動部材とを内設したディスク装置に設けられて、記録ディスクが載置され、該記録ディスクを前記駆動部材の所定の設置位置まで移動するディスク載置用トレイの製造方法であって、記録ディスクが取り外し可能に載置される受け皿部と、前記受け皿部に形成され、記録ディスクが載置される部分を円形状に形成する角部のない形状の周辺壁部と、前記周辺壁部にディスク回転方向に角部がない形状で形成され、前記受け皿部とにより記録ディスクを遊嵌して保持する突起部と、前記受け皿部のディスク載置面に形成され、ディスク載置方向から見たときに前記ディスク載置面上において前記突起部よりも大きい領域に前記受け皿部を貫通しない深さで、すり鉢形状の斜面を有し、前記突起部を加工形成するために用いられる凹所とが、トレイ本体に一体に形成されることによって、風切り音の増幅を効果的に抑えることができるディスク載置用トレイを製造することができる。
【００１９】
【発明の実施の形態】
以下、本発明の好適な実施形態について図面を参照しながら説明する。
【００２０】
図１は本発明の実施形態を説明するための光ディスク装置の概略構成を示す斜視図であり、１は記録ディスクとしての光ディスク２が載置されるトレイ、３はケース本体の前面を構成するフロントベゼルであって、トレイ１は、フロントベゼル３と外装体であるトップカバー５とに囲まれて形成されるケース本体内に設置され、かつ図示しないローディング機構によって、フロントベゼル３に設けられた開口４とケース本体内のローディング位置との間を進退するように駆動される。
【００２１】
１０は、トレイ１の略中央部に形成されて、光ディスク２が載置される凹所状のディスク受け皿部であり、ディスク受け皿部１０の周辺壁部１０ａには、装置を縦置きにして使用する際に、ディスク受け皿部１０との間に光ディスク２を遊嵌して保持するためのディスク保持用の突起爪部１１と、その加工用の凹所１２が設けられている。
【００２２】
トレイ１のディスク受け皿部１０は、光ディスク装置の大きさの制限と光ディスク２の外径との関係から、多くの場合、周辺壁部１０ａが連続して存在するような完全な円形ではなく、中央部横側付近に切れ目部１３を有し、さらに光ディスク２を回転駆動するスピンドルモータ１５のディスクチャッキング部１５ａと光ピックアップ１６の対物レンズ１６ａ部分が内部に配設され、かつ該対物レンズ１６ａが内部をディスク径方向へ進退可能にするための開口部１４が形成されている。
【００２３】
図２は本実施形態である光ディスク装置における制御系を主とした概略構成を示すブロック図であり、２１はモータドライバ、２２はリードアンプ、２３はサーボ手段、２４はＣＤデコーダ、２５はＡＴＩＰ（絶対時間情報）デコーダ、２６はレーザコントローラ、２７はＣＤエンコーダ、２８はＣＤ−ＲＯＭエンコーダ、２９はバッファＲＡＭ、３０はバッファマネージャ、３１はＣＤ−ＲＯＭデコーダ、３２はＡＴＡＰＩ／ＳＣＳＩインターフェース、３３はＤ／Ａコンバータ、３４はＲＯＭ、３５はＣＰＵ（中央演算処理ユニット）、３６はＲＡＭを示し、ＬＢはレーザ光、Audioはオーディオ出力信号を示す。
【００２４】
図２において、矢印はデータが主に流れる方向を示しており、なお、図を簡略化するために、図２の各ブロックを制御するＣＰＵ３５と各ブロックとの接続については省略している。
【００２５】
光ディスク装置の構成と動作は以下に説明する通りであって、光ディスク２はスピンドルモータ１５によって回転駆動される。スピンドルモータ１５は、モータドライバ２１とサーボ手段２３により、線速度が一定になるように制御される。この線速度は、階段的に変更することが可能である。
【００２６】
光ピックアップ１６は、図示しない半導体レーザ，光学系，フォーカスアクチュエータ，トラックアクチュエータ，受光素子、およびポジションセンサなどを内蔵しており、レーザ光ＬＢを集光して光ディスク２に照射する。また光ピックアップ１６は、図示しないシークモータによってスレッジ方向への移動が可能である。これらのフォーカスアクチュエータ，トラックアクチュエータ，シークモータは、受光素子とポジションセンサから得られる信号に基いて、モータドライバ２１とサーボ手段２３により、レーザ光ＬＢの集束された光スポットが光ディスク２上の所定の場所に位置するように制御される。
【００２７】
そして再生時における読取動作の際には、光ディスク２がスピンドルモータ１５によって回転駆動され、光ディスク２の記録面に対してピックアップ動作を行う光ピックアップ１６によって得られた再生信号が、リードアンプ２２で増幅されて２値化された後、ＣＤデコーダ２４に入力される。入力された２値化データはＣＤデコーダ２４においてＥＦＭ(Eight to Fourteen Modulation)復調される。なお、記録データは８ビットずつまとめられてＥＦＭ変調されており、このＥＦＭ変調では、８ビットを１４ビットに変換し、結合ビットを３ビット付加して合計１７ビットにする。この場合、結合ビットは、それまでの「１」と「０」の数が平均的に等しくなるように付けられる。これを「ＤＣ成分の抑制」といい、ＤＣカットされた再生信号のスライスレベル変動が抑圧される。
【００２８】
復調されたデータはデインターリーブとエラー訂正の処理が行われる。その後、このデータは、ＣＤ−ＲＯＭデコーダ３１へ入力され、データの信頼性を高めるために、さらにエラー訂正の処理が行われる。このように２回のエラー訂正の処理が行われたデータは、バッファマネージャ３０によって、バッファＲＡＭ２９に一旦蓄えられ、セクタデータとして揃った状態でＡＴＡＰＩ／ＳＣＳＩインターフェース３２を介して、図示しないホストコンピュータへ転送される。なお、音楽データの場合には、ＣＤデコーダ２４から出力されたデータがＤ／Ａコンバータ３３へ入力され、アナログのオーディオ出力信号Audioとして取り出される。
【００２９】
また情報記録時の書込動作の際には、ＡＴＡＰＩ／ＳＣＳＩインターフェース３２を通して、ホストコンピュータなどから送られてきたデータは、バッファマネージャ３０によってバッファＲＡＭ２９に一旦蓄えられる。そして、バッファＲＡＭ２９内にある程度の量のデータが蓄積された状態で、書込動作が開始されるが、この場合には、光ピックアップ１６から出射されるレーザスポットを、回転駆動されている光ディスク２における書き込み開始地点に位置させる必要がある。この地点の情報は、情報トラックの蛇行により予め光ディスク２上に刻設されているウォブル信号によって求められる。ウォブル信号には、ＡＴＩＰと呼ばれる絶対時間情報が含まれており、この情報が、ＡＴＩＰデコーダ２５によって取り出される。また、このＡＴＩＰデコーダ２５によって生成される同期信号は、ＣＤエンコーダ２７へ入力され、光ディスク２上の正確な位置へのデータの書き込みを可能にしている。
【００３０】
バッファＲＡＭ２９のデータは、ＣＤ−ＲＯＭエンコーダ２８あるいはＣＤエンコーダ２７において、エラー訂正コードの付加あるいはインターリーブが行われ、レーザコントローラ２６，光ピックアップ１６を介して光ディスク２に記録される。
【００３１】
ところで、前記記録／再生の際には光ディスク２は上述のように高速回転駆動され、この回転に伴って風切り音が発生し、それが騒音として外部に漏れるという既述したような不具合が生じていた。風切り音の発生原因を検討すると、光ディスク２の回転によって空気流が発生し、この空気流が光ディスク２の回転領域の周囲に設置されている内部構成部材に衝突して風切り音を発生させていた。特にトレイ１のディスク受け皿部１０は、光ディスク２の回転領域に近接し、風切り音の主な発生要因となっていた。さらにはトレイ１のディスク受け皿部１０側の突出する角を有する形状の部材が風切り音を増幅する原因であった。
【００３２】
そこで本実施形態では、トレイ１のディスク受け皿部１０側の裏面側および側面を除いた主体部分、特にディスク受け皿部１０部分から角形状部分を除去し、空気流を滑らかな状態にすることより、風切り音を増幅させるような要素を除去することで騒音の発生を抑制するようにした。
【００３３】
図３（ａ）〜（ｄ）は本実施形態における光ディスク装置のディスク受け皿部１０の周辺壁部１０ａに形成されたディスク保持用の突起爪部のみを拡大して示す図であり、（ａ）は正面図、（ｂ）は平面図、（ｃ）は側面断面図、（ｄ）は斜視図であり、ディスク保持用の突起爪部１１における外壁を、特にそのディスク回転方向に対して角部がない形状とし、突起爪部１１に対してディスク回転により生じた風が当たる程度を緩衝させるように、風（空気流）が外壁を滑らかに移動するようにして、突起爪部１１に当たって生じる風切り音が増幅することを抑えている。風切り音の発生を防ぐためには、突起爪部１１のすべての方向において角形状を除去した場合に、最も高い効果が得られる。
【００３４】
図４（ａ）〜（ｄ）は本実施形態における光ディスク装置のディスク受け皿部１０の周辺壁部１０ａに形成されたディスク保持用の突起爪部の加工用の凹所のみを拡大して示す図であり、（ａ）は正面図、（ｂ）は平面図、（ｃ）は側面断面図、（ｄ）は斜視図であり、ディスク保持用の突起爪部１１よりも加工用の凹所１２は略一回り大きく、かつ抜き取ったような形状になっており、本実施形態では、凹所１２はディスク回転方向に対して傾斜する面を備えたすり鉢状の形状にしてあり、このため凹所１２にディスク回転により発生した風が当っても、その当接が緩衝されることになって発生する風切り音が増幅することを抑えることができる。
【００３５】
図５（ａ）〜（ｃ）は本実施形態における光ディスク装置のディスク受け皿部１０の周辺壁部１０ａに形成された壁面の非連続部である切れ目部１３を拡大して示す図であり、（ａ）は側面図、（ｂ）は平面図、（ｃ）は斜視図であり、周辺壁部１０ａの非連続部分である切れ目部１３ではディスク受け皿部１０の周辺壁部１０ａがなくなるため、何も加工しないとディスク回転方向に対して鋭い角形状となる。本実施形態では、切れ目部１３部分から鋭い角形状を除き、円弧状の突出形状にすることによって、ディスク回転により生じる風が、切れ目部１３で滑らかな形状部分のみに当たるようにし、切れ目部１３において風切り音が増幅されることを防いでいる。
【００３６】
図６は本実施形態における光ディスク装置のディスクチャッキング部１５ａあるいは光ピックアップ１６の対物レンズ１６ａを移動可能にするために、トレイ１に形成された略矩形状の開口部１４における一隅部分（図６では図１のＡ部を示す）を拡大して示す斜視図であり、開口部１４がトレイ１の奥側からディスク受け皿部１０の略中央部まで底面に大きく開けられている。本実施形態では、開口部１４の各辺１４ａおよび隅部分１４ｂに円弧面を形成することによって、ディスク回転方向に対してより滑らかになる形状にし、ディスク回転により生じる風が、開口部１４の各部で滑らかに流れるようにし、開口部１４において風切り音が増幅されることを防いでいる。
【００３７】
このように、本実施形態では、現状、光ディスクの回転速度が高速化するのに伴い、回転時に発生する風切り音による騒音が増大し続ける傾向にある光ディスクドライブ装置において、音の発生源であるディスク回転部により近い部分における防音対策を施すことによって、装置の外観に影響を与えることなく、ディスク回転に伴って発生する風切り音を低減させることができ、簡単な構成で騒音の問題を解消することができる光ディスク装置が実現する。
【００３８】
なお、本実施形態では記録ディスクとして光ディスクを例として、光ディスク装置に本発明を適用した例を説明したが、本実施形態と同様にディスク受け皿部部分においてディスクが回転する構成のディスク装置に搭載される記録ディスクを使用する装置、例えば磁気ディスクを使用する磁気ディスク装置においても本発明を適用することができる。
【００３９】
【発明の効果】
以上説明したように、本発明によれば、ディスク装置におけるディスクを保持するトレイのディスク受け皿部から角形状の部位を除去するという簡単な構成によって、ディスク装置の騒音の主要因であるディスク回転による風切り音の増幅源をなくすことができ、光ディスク装置で発生する騒音を低減することができるなど、実際上の効果が大である。
【図面の簡単な説明】
【図１】本発明の実施形態である光ディスク装置の概略構成を示す斜視図
【図２】本発明の実施形態である光ディスク装置における制御系を主とした概略構成を示すブロック図
【図３】本発明の実施形態における光ディスク装置のディスク受け皿周辺部に形成されたディスク保持用の突起爪部を拡大して示す図であり、（ａ）は正面図、（ｂ）は平面図、（ｃ）は側面断面図、（ｄ）は斜視図
【図４】本発明の実施形態における光ディスク装置のディスク受け皿周辺部に形成されたディスク保持用の突起爪部の加工用の凹所を拡大して示す図であり、（ａ）は正面図、（ｂ）は平面図、（ｃ）は側面断面図、（ｄ）は斜視図
【図５】本発明の実施形態における光ディスク装置のディスク受け皿周辺部に形成された壁面の非連続部である切れ目部を拡大して示す図であり、（ａ）は側面図、（ｂ）は平面図、（ｃ）は斜視図
【図６】本発明の実施形態における光ディスク装置のディスクチャッキング部あるいは対物レンズを移動可能にするために、トレイに形成された略矩形状の開口部における一隅部分を拡大して示す斜視図
【符号の説明】
１  トレイ
２  光ディスク
１０  ディスク受け皿部
１０ａ  周辺壁部
１１  突起爪部
１２  凹所
１３  切れ目部
１４  開口部
１５  スピンドルモータ
１６  光ピックアップ
【図１】
0004000405.tif 000002
【図２】
0004000405.tif 000003
【図３】
0004000405.tif 000004
【図４】
0004000405.tif 000005
【図５】
0004000405.tif 000006
【図６】
0004000405.tif 000007